(57)【特許請求の範囲】
【請求項１】
脚部に取付ける取付体と、上面に座部を取付ける傾動体の前部同士を水平な回転軸によって回動可能に連結し、前記回転軸より後方の前記傾動体の後部を付勢手段によって上方へ弾性付勢し、座部の後部が上下動して立起姿勢とリクライニング姿勢を取ることが可能な椅子のダンパー機構であって、前記回転軸と前記付勢手段との間で該回転軸から離れた前記取付体と傾動体の各側面が重合する位置間に、一方の側面にスライダーを取付け、他方の側面にスライダーを押圧状態で摺接させてなることを特徴とする傾斜可能な座部を有する椅子のダンパー機構。
【請求項２】
硬質合成樹脂製の板状スライダーが、偏平な圧縮ゴムを介して取付体又は傾動体に取付けられている請求項１記載の傾斜可能な座部を有する椅子のダンパー機構。
【請求項３】
前記スライダーの取付面側に単又は複数のダボを突設し、前記圧縮ゴムと前記取付体又は傾動体の側面に前記ダボに対応して通孔を設け、前記スライダーのダボを、圧縮ゴムの通孔に挿通し且つ取付体又は傾動体の側面の通孔に係合した状態で、前記スライダーが押圧方向に弾性変位可能に取付けられている請求項１又は２記載の傾斜可能な座部を有する椅子のダンパー機構。
【発明の詳細な説明】
【０００１】
【発明の属する技術分野】
本発明は、傾斜可能な座部を有する椅子のダンパー機構に係わり、更に詳しくは座部の後部が上下動して立起姿勢とリクライニング姿勢を取ることが可能な椅子において、座部の傾動動作時における動作の安定化と座部の緩やかな傾動動作を実現するダンパー機構に関する。
【０００２】
【従来の技術】
従来、脚部に取付ける取付体と、上面に座部を取付ける傾動体の前部同士を水平な回転軸によって回動可能に連結し、前記回転軸より後方の取付体と傾動体との間に該傾動体の後部を上方へ弾性付勢し、座部の後部が上下動して立起姿勢とリクライニング姿勢を取ることが可能な椅子は、本出願人も提供している。
【０００３】
そして、従来の傾動体の取付体に対する傾動機構は、単に傾動体の両側面に渡して取付けた回転軸を、取付体の内部に固定した軸受にて回動可能に連結したものであり、軸受として上下二分割のブッシュで回転軸を挟み込んで、ガタつきを防止するとともに、ブッシュと回転軸との摺動摩擦によってある程度のダンパー機能を持たせた構造を採用していた。
【０００４】
しかし、回転軸の軸方向への移動やガタつきの防止は不完全であり、また回転軸に直接摺接するブッシュでダンパー機能を持たせることは不十分である。そして、ブッシュが摩耗すると、全くダンパー機能を果たさなくなるばかりでなく、傾動動作時にガタつきが発生する恐れもあった。
【０００５】
【発明が解決しようとする課題】
そこで、本発明が前述の状況に鑑み、解決しようとするところは、脚部に取付けた取付体に対して、上面に座部を取付けた傾動体の傾動動作時におけるガタつきを完全に防止して安定化するとともに、ダンパー機能を十分に発揮して座部の緩やかな傾動動作を実現することが可能な傾斜可能な座部を有する椅子のダンパー機構を提供する点にある。
【０００６】
【課題を解決するための手段】
本発明は、前述の課題解決のために、脚部に取付ける取付体と、上面に座部を取付ける傾動体の前部同士を水平な回転軸によって回動可能に連結し、前記回転軸より後方の前記傾動体の後部を付勢手段によって上方へ弾性付勢し、座部の後部が上下動して立起姿勢とリクライニング姿勢を取ることが可能な椅子のダンパー機構であって、前記回転軸と前記付勢手段との間で該回転軸から離れた前記取付体と傾動体の各側面が重合する位置間に、一方の側面にスライダーを取付け、他方の側面にスライダーを押圧状態で摺接させてなることを特徴とする傾斜可能な座部を有する椅子のダンパー機構を構成した。
【０００７】
ここで、硬質合成樹脂製の板状スライダーが、偏平な圧縮ゴムを介して取付体又は傾動体に取付けられていることが好ましい。
【０００８】
更に、前記スライダーの取付面側に単又は複数のダボを突設し、前記圧縮ゴムと前記取付体又は傾動体の側面に前記ダボに対応して通孔を設け、前記スライダーのダボを、圧縮ゴムの通孔に挿通し且つ取付体又は傾動体の側面の通孔に係合した状態で、前記スライダーが押圧方向に弾性変位可能に取付けられているとより好ましい。
【０００９】
【発明の実施の形態】
次に添付図面に示した本発明の実施形態に基づき更に詳細に説明する。図１は本発明に係る椅子の側面図、図２は同じく正面図、図３〜図７は座部のロッキング装置の各部を示し、図中１は脚部、２は座部、３は背凭れ部、４はロッキング装置をそれぞれ示している。
【００１０】
本発明に係る椅子は、脚部１に支持された座部２と、該座部２の後方立上部に対して弾性的に前後傾動可能に連結された背凭れ部３とよりなり、前記座部２は脚部１との間に設けたロッキング装置４によって着座者の体重の後方移動に伴って後部が弾性的に下降し、体重の前方移動に伴って元の位置まで上昇する構造のものである。勿論、着座者の着座姿勢によって座部２の後部が最上方位置（立起姿勢）と最下方位置（リクライニング姿勢）との中間位置も取り得るものである。
【００１１】
前記ロッキング装置４は、前記脚部１に立設したガスシリンダー５の上端に後端部を取付けた金属製の取付体６と、該取付体６の前部に軸受７にて支持された水平な回転軸８によって前部を回動可能に連結した金属製の傾動体９と、該傾動体９の後部を上方へ弾性付勢するための付勢手段１０と、前記取付体６に対する傾動体９の傾斜状態を固定するロック機構１１と、前記回転軸８を中心とする傾動体９の傾動時にその動作を緩衝するためのダンパー機構１２とから構成されている。ここで、座部２に座った着座者の重心は、前記ガスシリンダー５の近傍に設定されている。
【００１２】
前記取付体６は、上方開放した箱型形状を有し、後端部にガスシリンダー５のテーパー状先端部５Ａを嵌入するテーパー状取付管１３を上下貫設し、前端部には前記軸受７が固定され、該軸受７と前記取付管１３との中間部には前記付勢手段１０が設けられ、更に該付勢手段１０と取付管１３との間にはロック機構１１の本体部１１Ａが設けられている。尚、前記ガスシリンダー５の操作ピン５Ｂは、前記取付体６の内部に露出している。
【００１３】
前記傾動体９は、下方開放した略箱型形状を有し、前記軸受７及びダンパー機構１２に対応する前部が二股に分かれた構造を有し、この両側に分かれた部分に貫設した回転軸８を前記取付体６に固定した軸受７に回動可能に支持されて取付体６と連結するとともに、座部２を上面に固定する取付板１４と取付体６の下面板１５との間に前記付勢手段１０が設けられ、更に取付板１４の下面には前記ロック機構１１の係止板１１Ｂが下設されている。そして、この傾動体９は、前記取付体６の上部を覆うような形状となっている。
【００１４】
前記軸受７は、図３及び図５に示すように、金属製の保持枠１６を取付体６の下面板１５の前部に溶着し、該保持枠１６には横方向に延びた上方開放の収容溝１７を有するとともに、上縁前後に延びた固定板１８，１８を有し、前記収容溝１７内に上下二分割した合成樹脂製のブッシュ１９，１９を間に前記回転軸８を挟んで収容し、上方のブッシュ１９の上面に当接するように前後の固定板１８，１８に押え板２０をビス２１，…にて固定した構造である。
【００１５】
前記付勢手段１０は、図３に示すように、前記取付体６の下面板１５に貫通した螺軸２１の下端であって、該下面板１５の下面に摺接する位置に強弱ノブ２２を固定するとともに、下面板１５の上面側の螺軸２１に突設した環状フランジ部２３と該下面板１５との間にベアリング２４を介装し、当該螺軸２１を定位置回転可能となすとともに、該螺軸２１の上部に受板２５に固着したナット２６を螺合し、圧縮コイルばね２７の下端を該受板２５に当止し、該圧縮コイルばね２７の上端を前記傾動体９の取付板１４に下方へ突設した環状凸部２８に外挿し且つ取付板１４に当止した構造である。そして、前記強弱ノブ２２を回転させることにより、螺軸２１に対して受板２５が上下に変位して圧縮コイルばね２７の圧縮状態を変えて、前記回転軸８を中心とする傾動体９の後部の下降に対する弾性抵抗力を調節するのである。
【００１６】
前記ロック機構１１は、図３及び図４に示すように、前記取付体６の側方から貫通し且つ回動可能に軸部２９Ａを保持したロックレバー２９のクランク部２９Ｂを、前記取付体６の内部に固定した本体部１１Ａに一体形成した円弧状係止孔３０内で移動可能とするとともに、クランク部２９Ｂを円弧状係止孔３０の両終端部と中間部との三段階で弾性的に係止可能とし、そして前記傾動体９の取付板１４の下面に突設した係止板１１Ｂの先端部に第１係止凹部３１と、その上方の一側面側に第２係止凹部３２を形成した構造である。そして、前記円弧状係止孔３０の一方の終端にクランク部２９Ｂが位置する場合に、係止板１１Ｂはクランク部２９Ｂの側方を上下に通過可能、即ち傾動体９が自由に傾動可能となし、円弧状係止孔３０の他方の終端にクランク部２９Ｂが位置する場合に、係止板１１Ｂの第１係止凹部３１がクランク部２９Ｂに係合して傾動体９の後部の下動を規制して立起姿勢を維持し、また傾動体９の後部を最下方位置まで沈めた状態で円弧状係止孔３０の中間部にクランク部２９Ｂを位置させることによって、該クランク部２９Ｂが第２係止凹部３２に係合して傾動体９の後部の上動を規制してリクライニング姿勢を維持するのである。ここで、前記ロックレバー２９の軸部２９Ａを中心として回転させると、該軸部２９Ａに対して偏心したクランク部２９Ｂが前記円弧状係止孔３０に沿って移動するようになっている。
【００１７】
前記ダンパー機構１２は、図３、図６及び図７に示すように、前記回転軸８から若干離れた位置であって、前記取付体６と傾動体９の各側面が重合する位置間に、一方の側面にスライダー３３を圧縮ゴム３４を介して取付け、他方の側面にスライダー３３を摺接させた構造である。このダンパー機構１２によって、前記回転軸８を中心とする傾動体９の回動動作を安定化する。即ち、座部２の側方へのガタつきを防止するとともに、回転軸８を中心とする回動において急激な動作を制限し、緩やかな座部２の傾斜動作を実現するのである。
【００１８】
また、前記取付体６の後部には、下面板１５の上位に略平行に上面板３５の後部を溶着するとともに、該上面板３５の前縁から下方へ延びた脚板３６の下端を前記下面板１５に溶着し、当該下面板１５と上面板３５とに貫通して前記取付管１３が溶着されている。そして、前記上面板３５の前部と脚板３６の上端部であって幅方向の略中央部に前記ロック機構１１の本体部１１Ａを装着するための切欠開口３７を形成している。更に、前記取付体６の後端から後方へ若干突出した上面板３５の端縁３５Ａに緩衝材３８を取付け、前記傾動体９の後端から下方へ延び、更に前方へ若干折曲した折曲片３９を前記緩衝材３８の下方位置に配設し、傾動体９の後部が最上昇した位置で前記折曲片３９が緩衝材３８に当接し、傾動体９の後部が最下降した位置で前記取付板１４が緩衝材３８に当接するように設定している。
【００１９】
また、前記ロックレバー２９の軸部２９Ａを貫設した側とは反対側に、上下昇降レバー４０の軸部４０Ａから直角に折曲した中間部４０Ｂを回動可能に保持し、該中間部４０Ｂから直角に折曲して軸部４０Ａと平行に延びたクランク部４０Ｃの先端部を前記ガスシリンダー５の操作ピン５Ｂの先端に当接させている。そして、前記上下昇降レバー４０の軸部４０Ａを上方に持ち上げることによって、クランク部４０Ｃの先端で前記操作ピン５Ｂを押し込んで、ガスシリンダー５による座部２の高さ調節を可能としている。尚、前記ロックレバー２９の軸部２９Ａの先端部にはハンドル２９Ｃが嵌着され、前記上下昇降レバー４０の軸部４０Ａの先端部にも同様にハンドル４０Ｄが嵌着されている。ここで、前記ハンドル２９Ｃは、ロックレバー２９の回転に適した形状であり、前記ハンドル４０Ｄは、上下昇降レバー４０の上下動に適した形状となっている。
【００２０】
そして、前記ロックレバー２９の軸部２９Ａが取付体６を貫通した部分と、前記上下昇降レバー４０の軸部４０Ａが取付体６を貫通した部分には、合成樹脂製のスペーサー４１が嵌着されている。このスペーサー４１は、取付体６の両側において同一形状のものであるが、それぞれロックレバー２９の軸部２９Ａをガタつきなく回動可能に支持し、上下昇降レバー４０の軸部４０Ａをガタつきなく上下スライド可能に支持できる構造である。
【００２１】
次に、図６〜図８に基づいて更に本発明のダンパー機構１２を説明する。本発明のダンパー機構１２は、脚部１に取付ける取付体６と、上面に座部２を取付ける傾動体９の前部同士を水平な回転軸８によって回動可能に連結し、前記回転軸８より後方の傾動体９の後部を付勢手段１０によって上方へ弾性付勢し、座部２の後部が上下動して立起姿勢とリクライニング姿勢を取ることが可能な椅子において、前記回転軸８と前記付勢手段１０との間で該回転軸８から離れた前記取付体６と傾動体９の各側面が重合する位置間に、一方の側面にスライダー３３を取付け、他方の側面にスライダー３３を押圧状態で摺接させてなることを要旨としている。
【００２２】
ここで、前記スライダー３３を押圧状態で摺接するには、該スライダー３３を硬質合成樹脂製で板状に成形し、偏平な圧縮ゴム３４を介して取付体６又は傾動体９に取付けるのである。また、前記スライダー３３の取付面４２側に単又は複数のダボ４３，…を突設し、前記圧縮ゴム３４と前記取付体６又は傾動体９の側面に前記ダボ４３に対応して通孔４４，４５，…を設け、前記スライダー３３のダボ４３，…を、圧縮ゴム３４の通孔４４，…に挿通し且つ取付体６又は傾動体９の側面の通孔４５，…に係合した状態で、前記スライダー３３を押圧方向に弾性変位可能に取付けている。
【００２３】
更に詳しくは、前記傾動体９は、前記取付板１４の両側縁を下方へ折曲して側面板４６，４６を形成し、前部において取付板１４の一部を切り欠いて開口部４７を形成すると同時に、該開口部４７の両側縁から下方へ軸支板４８，４８を切起し形成している。前記軸支板４８は、前記側面板４６との間に所定の間隔を設けて平行に形成されており、また側面板４６よりも大きく下方へ突出している。そして、前記取付体６には周囲に立ち上がった壁面を有し、両側壁板４９，４９を前記外方の側面板４６と内方の軸支板４８とで挟むように、取付体６と傾動体９は回転軸８にて連結される。また、前記軸支板４８，４８の前端部には、前記回転軸８を嵌挿して溶着するための軸孔５０，５０を形成しているとともに、その後方の両軸支板４８，４８間に補強軸５１を架設状態で溶着している。ここで、前記取付体６に固定された軸受７は、前記傾動体９の両軸支板４８，４８間に位置する。
【００２４】
前記スライダー３３及び圧縮ゴム３４は、本実施形態では前記傾動体９の軸支板４８の側面に取付けているため、該軸支板４８に前記通孔４５，…を所定位置に形成している。また、本実施形態では、スライダー３３の突設したダボ４３は合計４個であり、それに対応して前記補強軸５１の周囲に４個の通孔４５，…を形成し、当然ではあるが前記圧縮ゴム３４にも４個の通孔４４，…を同じ配列で形成している。また、前記ダボ４３，…は、取付面４２の上下左右に突設しているが、左右のダボ４３，４３は断面が縦長の長円であり、それに対応する通孔４４，４５も長円孔であり、上下のダボ４３，４３は断面が円形であり、それに対応する通孔４４，４５も円形である。このように、各ダボ４３，…の形状と通孔４４，４５を異ならせることにより、スライダー３３及び圧縮ゴム３４の取付ける向きが所定の方向になる。尚、前記ダボ４３、通孔４４，４５の数は、１個でも可能であるが、好ましくは２個以上である。
【００２５】
そして、前記ダンパー機構１２を所定位置に組付けるには、先ずスライダー３３のダボ４３，…に圧縮ゴム３４の通孔４４，…を挿入した状態で、該ダボ４３，…を前記傾動体９の各軸支板４８の外面側に係合して取付け、好ましくはスライダー３３と圧縮ゴム３４の接合面同士及び圧縮ゴム３４と軸支板４８の接合面同士を接着して取付ける。その状態で、前記スライダー３３，３３を取付体６の側壁板４９，４９の内面に圧接しながら、前記傾動体９を取付体６の所定位置に配設し、前記回転軸８を軸受７にて回動可能に保持するのである。この組付状態では、取付体６に対して傾動体９の上方への回動は、前記折曲片３９が緩衝材３８に当接して規制されるので、スライダー３３が側壁板４９から離れることがないのである。
【００２６】
また、前記スライダー３３のダボ４３は、前記軸支板４８の通孔４５に単に係合しているだけであるので、取付位置は規定されるものの、該スライダー３３の押圧方向、つまり軸支板４８に対して直交方向には変位可能となっている。また、前記スライダー３３は、取付体６と傾動体９との組付時に側壁板４９の側面への挿入を容易にするため、少なくとも上下縁を面取りした断面台形状となっている。更に、前記スライダー３３と圧縮ゴム３４の素材については、例えば、スライダー３３はポリアセタール、圧縮ゴム３４は発泡ポリウレタンエラストマーを用いて作製されている。
【００２７】
また、前記スライダー３３と圧縮ゴム３４の他の実施形態として、図９に示したものは、前記スライダー３３の取付面４２の左右に断面縦長の長円形のダボ４３，４３を２個突設するとともに、下縁を取付面４２から突出させて突縁５２を形成し、圧縮ゴム３４にも対応する通孔４４，４４を形成したものである。そして、スライダー３３と圧縮ゴム３４とを接合した際に、前記突縁５２で圧縮ゴム３４の下縁を受けて取付強度をより高めるとともに、更に前記傾動体９の軸支板４８に取付けた際に、前記突縁５２を前記傾動体９の軸支板４８の下縁に当止するようにすると、スライダー３３を側壁板４９の端縁から圧接する作業時に軸支板４８から外れる恐れがなく更に好ましい。
【００２８】
また、図１０に示したものは、前述の図９に示したものに対して、前記スライダー３３の突縁５２を傾斜部５２Ａと受部５２Ｂとで構成するとともに、前記圧縮ゴム３４の下縁に前記傾斜部５２Ａに沿った面取り部５３を形成したものである。この場合も、前記突縁５２の受部５２Ｂを更に突出させて、傾動体９の軸支板４８に取付けた際に、該軸支板４８の下縁に当止するようにすれば更に好ましいのである。
【００２９】
尚、前記スライダー３３と圧縮ゴム３４は、前記取付体６の側壁板４９，４９の内側面に取付けても同様の作用を期待できるが、側壁板４９の外面側にスライダー３３のダボ４３が突出するので、外観的に好ましくない。但し、ダボ４３を用いないスライダー３３の取付構造であれば、傾動体９の軸支板４８と取付体６の側壁板４９の何れにスライダー３３を取付けても同様である。
【００３０】
【発明の効果】
以上にしてなる本発明の傾斜可能な座部を有する椅子のダンパー機構によれば、以下の顕著な効果を奏するものである。
【００３１】
請求項１によれば、回転軸を中心とする傾動体の回動動作を安定化し、座部の側方へのガタつきを防止するとともに、回転軸を中心とする回動において急激な動作を制限し、緩やかな座部の傾斜動作を実現することができ、更に回転軸を回動可能に保持する軸受の摩耗が少なくなって耐久性が向上する。
【００３２】
請求項２によれば、圧縮ゴムによってスライダーを弾性的に且つ面圧が一様に他側面に圧接することが可能であり、また取付体と傾動体の製造誤差を吸収することが可能である。更に、スライダーと圧縮ゴムとを積層状態で取付体又は傾動体の側面に取付けるので、取付状態が安定である。
【００３３】
請求項３によれば、スライダーを押圧方向にのみ弾性変位可能に取付けることができ、しかもスライダーがそれを取付けた取付体又は傾動体の側面に対して平行な方向に移動することが全くなく、取付強度の向上が図れる。
【図面の簡単な説明】
【図１】本発明に係る椅子の側面図である。
【図２】同じく正面図である。
【図３】本発明に係る椅子のロッキング装置を示す縦断面図である。
【図４】取付体に各部品を装着した状態の一部省略平面図である。
【図５】軸受の構造を示す分解斜視図である。
【図６】取付体と傾動体の関係及びダンパー機構を示す一部破断した分解斜視図である。
【図７】同じく横断面図である。
【図８】本発明のダンパー機構を示す要部断面図である。
【図９】スライダーと圧縮ゴムの他の実施形態を示す分解斜視図である。
【図１０】スライダーと圧縮ゴムの更に他の実施形態を示す分解斜視図である。
【符号の説明】
１  脚部                  ２  座部
３  背凭れ部              ４  ロッキング装置
５  ガスシリンダー        ５Ａ  テーパー状先端部
５Ｂ  操作ピン            ６  取付体
７  軸受                  ８  回転軸
９  傾動体                １０  付勢手段
１１  ロック機構          １１Ａ  本体部
１１Ｂ  係止板            １２  ダンパー機構
１３  取付管              １４  取付板
１５  下面板              １６  保持枠
１７  収容溝              １８  固定板
１９  ブッシュ            ２０  押え板
２１  ビス                ２２  螺軸
２２Ａ  環状フランジ部    ２３  強弱ノブ
２４  ベアリング          ２５  受板
２６  ナット              ２７  圧縮コイルばね
２８  環状凸部            ２９  ロックレバー
２９Ａ  軸部              ２９Ｂ  クランク部
２９Ｃ  ハンドル          ３０  円弧状係止孔
３１  第１係止凹部        ３２  第２係止凹部
３３  スライダー          ３４  圧縮ゴム
３５  上面板              ３５Ａ  端縁
３６  脚板                ３７  切欠開口
３８  緩衝材              ３９  折曲片
４０  上下昇降レバー      ４０Ａ  軸部
４０Ｂ  中間部            ４０Ｃ  クランク部
４０Ｄ  ハンドル          ４１  スペーサー
４２  取付面              ４３  ダボ
４４  通孔                ４５  通孔
４６  側面板              ４７  開口部
４８  軸支板              ４９  側壁板
５０  軸孔                ５１  補強軸
５２  突縁                ５２Ａ  傾斜部
５２Ｂ  受部              ５３  面取り部
【図１】
0003635799.tif 000002
【図２】
0003635799.tif 000003
【図３】
0003635799.tif 000004
【図４】
0003635799.tif 000005
【図５】
0003635799.tif 000006
【図６】
0003635799.tif 000007
【図７】
0003635799.tif 000008
【図８】
0003635799.tif 000009
【図９】
0003635799.tif 000010
【図１０】
0003635799.tif 000011